(57)【要約】【課題】箱型アームのジャンパ線の弛みを防止できるようにする。【解決手段】送電線鉄塔の箱型アームの左右側にそれぞれ張設されている送電線を接続するジャンパ線をその箱型アームの左右側でそれぞれジャンパ吊装置を用いて支持するジャンパ装置において、前記両ジャンパ吊装置間に剛性材を設け、その剛性材にジャンパ線を沿わせる。【選択図】　　　図１
2004032874.tif 000002
【特許請求の範囲】
【請求項１】
送電線鉄塔の箱型アームの左右側にそれぞれ張設されている送電線を接続するジャンパ線をその箱型アームの左右側でそれぞれジャンパ吊装置を用いて支持するジャンパ装置において、
前記両ジャンパ吊装置間に剛性材を設け、その剛性材にジャンパ線を沿わせることを特徴とするジャンパ装置。
【発明の詳細な説明】
【０００１】
【発明の属する技術分野】
本発明は、ジャンパ装置に係り、特に、送電線鉄塔の箱型アームに設けられるジャンパ線の弛みを解消できるようにしたものに関する。
【０００２】
【従来の技術】
図２は、送電線鉄塔Ｔの一方側のアームが箱型アームＡ１　で、他方側のアームが合掌型アームＡ２　を有する場合のその送電線鉄塔Ｔを下に見たときの平面図である。このような箱型アームＡ１　は、水平角θが所定角以上のときに用いられ、その箱型アームＡ１　は、送電線Ｌ１　，Ｌ２　、Ｌ１　′，Ｌ２　′が屈曲する側と反対側（図２では下側）のアームが箱型とされて、その屈曲によるジャンパ線Ｊの対送電線鉄塔Ｔとのクリアランスを確保するように工夫されている。なお、図２においては、送電線鉄塔Ｔよりも塔番号の若い、いわゆる若番側（図２において左側）の水平角とその送電線鉄塔Ｔよりも塔番号の大きい、いわゆる老番側（図２において右側）の水平角が等しくなっているが、相違している場合も存在している。
【０００３】
上述の箱型アームＡ１　のジャンパ線Ｊは、合掌型アームＡ２　のジャンパ線Ｊ′よりもその箱型アームの長さ分（ジャンパ線の伸張方向の箱型アームＡ１　の寸法分）だけ長くなり、ジャンパ線の弛度が大きくなる欠点がある。すなわち、図２において、合掌型アームＡ１　側のジャンパ線Ｊ′は、箱型アームＡ１　の分だけ長くなり、したがって、ジャンパ線Ｊの弛度が大きくなってしまう。このため、箱型アームＡ１　のジャンパ線Ｊは、下方のアーム及び耐張がいし装置に対する所定の絶縁距離を確保するために、懸垂がいし装置からなるジャンパ吊装置で吊上げるようにしている。
【０００４】
図３は、箱型アームＡ１　のジャンパ線Ｊをジャンパ吊装置１０ａ，１０ｂで吊上げている状態を示していて、この図は、上記図２の下面図に当り、箱型アームＡ１　の伸張方向から見た図に相当している。
【０００５】
図３において、Ｂ１　，Ｂ２　は、箱型アームＡ１　の左右側にそれぞれ設けられている耐張がいし装置であり、若番側の送電線Ｌ１　及び老番側の送電線Ｌ２　をそれぞれ支持している。なお、これら送電線Ｌ１　，Ｌ２　は、通常、２導体以上の多導体で形成され、したがって、ジャンパ線Ｊもその多導体に対応した多導体で形成されている。
【０００６】
ジャンパ吊装置１０ａ，１０ｂは、箱型アームＡ１　の左右両側にそれぞれ位置し、１本の懸垂がいし装置からなる、いわゆるＩ吊り方式（直吊り方式）又は２本の懸垂がいし装置からなる、いわゆるＶ吊り方式でジャンパ線Ｊを支持している。ジャンパ線Ｊは、これらジャンパ吊装置１０ａ，１０ｂで支持されているので、このジャンパ線Ｊの下方に位置する他のアーム及び耐張がいし装置までの距離を所定以上に確保することができる。
【０００７】
【発明が解決しようとする課題】
しかしながら、上記従来の箱型アーム部分のジャンパ線は、箱型アームの左右両側でそれぞれジャンパ吊装置で支持されているけれども、依然としてジャンパ吊装置間のジャンパ線に弛みが発生し、その弛みにより下方に位置するアーム及び耐張がいし装置に対する絶縁距離が短くなる欠点があった。特に、このようなジャンパ線の弛みは、箱型アームが大型化すると大きくなる傾向にあった。
【０００８】
そこで、本発明は、上記欠点を解決するためになされたものであって、その目的は、箱型アームにおけるジャンパ線の弛みを解消することのできるジャンパ装置を提供することにある。
【０００９】
【課題を解決するための手段】
本発明に係るジャンパ装置は、上記目的を達成するために、送電線鉄塔の箱型アームの左右側にそれぞれ張設されている送電線を接続するジャンパ線をその箱型アームの左右側でそれぞれジャンパ吊装置を用いて支持するジャンパ装置において、前記両ジャンパ吊装置間に剛性材を設け、その剛性材にジャンパ線を沿わせることを特徴としている。
【００１０】
【発明の実施の形態】
以下、本発明の実施の形態を図面に基づいて説明する。図１は、一実施の形態に係るジャンパ装置を図示しない送電線鉄塔のアームの伸張方向から見た正面図で、上記図２の下面図に相当し、上記図３に対応している。
【００１１】
なお、上記従来の図２及び図３と同一構成要素には同一符号を用い、これら構成要素については説明が重複するため新規な部分のみについて異なる符号を付して説明する。
【００１２】
図１中、１ａ及び１ｂは、ブロック状の金具からなるジャンパ線支持部であって、これらジャンパ線支持部１ａ，１ｂは、箱型アームＡ１　の左右下端両側にそれぞれ設けられているジャンパ吊装置１０ａ及び１０ｂの下端にそれぞれ設けられている。
【００１３】
これらジャンパ線支持部１ａ，１ｂは、多導体からなるジャンパ線Ｊをそのジャンパ線Ｊの伸張方向から見たときに、互いに所定の間隔を保つように、例えば、ジャンパ線Ｊが４本の導体からなるときは、各ジャンパ線が所定の正方形の各頂点位置に位置するようにしてジャンパ線Ｊをジャンパ線支持部１ａ，１ｂに固定できるように構成されている。
【００１４】
図１中、２は、Ｈ型鋼又は鉄製のパイプ等からなる剛性材であって、両ジャンパ線支持部１ａ，１ｂ間に掛け渡すように設けられている。そして、この剛性材２には、ジャンパ線Ｊがその剛性材２の長手方向に沿わせる形で張設されている。なお、図１中、２ａ，２ａ…は、ジャンパ線Ｊを剛性材２に固定するための部材である。
【００１５】
上述のように、両ジャンパ線支持部１ａ，１ｂ間に剛性材２を設け、その剛性材２にジャンパ線Ｊを沿わせているので、ジャンパ線Ｊの弛みを完全に除去することができ、このため、この箱型アームＡ１　の下方に位置するアーム又は地面に対する絶縁距離を確実に確保することができる。
【００１６】
なお、上述の例では、剛性材２にジャンパ線Ｊを沿わせたが、剛性材２そのものをジャンパ線の代わりとすることもできる。この場合、両ジャンパ線支持部１ａ，１ｂ間のジャンパ線Ｊを省略することができる。したがって、本発明で、剛性材にジャンパ線を沿わせるというときは、剛性材をジャンパ線として用いる場合も含んでいる。
【００１７】
【発明の効果】
本発明に係るジャンパ装置は、両ジャンパ吊装置間に剛性材を設け、その剛性材にジャンパ線を沿わせたので、ジャンパ線の弛みを除去することができる。
【図面の簡単な説明】
【図１】本発明の一実施の形態に係るジャンパ装置を箱型アームの伸張方向側から見たときの正面図である。
【図２】従来のジャンパ装置を送電線鉄塔の上方から見たときの平面図である。
【図３】従来のジャンパ装置を箱型アームの伸張方向側から見たときの正面図である。
【符号の説明】
Ｔ　送電線鉄塔
Ａ１　　箱型アーム
Ｂ１　，Ｂ２　　耐張がいし装置
１０ａ，１０ｂ　ジャンパ吊装置
１ａ，１ｂ　ジャンパ線支持部
２　剛性材
Ｌ１　，Ｌ２　　送電線
【図１】
2004032874.tif 000003
【図２】
2004032874.tif 000004
【図３】
2004032874.tif 000005